(57)【要約】【課題】開口部を容易に広げることができるドレープを提供すること。【解決手段】ドレープ１には、患者Ｐの身体を覆った使用状態で、患者Ｐの体表の一部を露出する６つ開口部３ａ、３ｂ、３ｃ、３ｄ、３ｅおよび３ｆが形成されている。このドレープ１の開口部３ａ、３ｂ、３ｃ、３ｄ、３ｅおよび３ｆのそれぞれの縁部には、該縁部を破断して形成された切り込み、および／または、前記縁部を破断可能なミシン目が放射状に８つ設けられている。【選択図】図１
2007068573.tif 000002
【特許請求の範囲】
【請求項１】
患者の身体を覆った使用状態で、前記患者の体表の一部を露出する少なくとも１つの開口部が形成され、
前記開口部の縁部に、該縁部を破断して形成された、および／または破断可能な破断部が放射状に複数設けられていることを特徴とするドレープ。
【請求項２】
前記開口部は、ほぼ楕円形または長円形をなしており、その長径方向に沿って少なくとも１つの前記破断部が設けられている請求項１に記載のドレープ。
【請求項３】
前記開口部は、ほぼ多角形をなしており、その各角部に対応する位置に少なくとも１つの前記破断部が設けられている請求項１に記載のドレープ。
【請求項４】
前記開口部を２つ有し、これら両開口部が、少なくとも１つの前記破断部を共有している請求項１ないし３のいずれかに記載のドレープ。
【請求項５】
前記使用状態で患者の左鼠径部、右鼠径部、左肘、右肘、左手首および右手首付近に対応する位置にそれぞれ、前記開口部が設けられている請求項１ないし４のいずれかに記載のドレープ。
【請求項６】
前記各破断部は、切り込みで構成されている請求項１ないし５のいずれかに記載のドレープ。
【請求項７】
前記各破断部は、ミシン目で構成されている請求項１ないし５のいずれかに記載のドレープ。
【請求項８】
前記各破断部は、前記ドレープの縁部まで到達していない請求項７に記載のドレープ。
【請求項９】
隣接する前記破断部同士間には、当該破断部同士をつなぐミシン目が設けられている請求項１ないし８のいずれかに記載のドレープ。
【請求項１０】
隣接する前記破断部同士間には、前記各破断部の前記開口部と反対側の端部同士をつなぐミシン目が設けられている請求項９に記載のドレープ。
【請求項１１】
前記各破断部は、前記開口部の縁部から延出する切り込みと、該切り込みに連結されたミシン目とを有する請求項１ないし１０のいずれかに記載のドレープ。
【請求項１２】
前記各破断部の前記ミシン目は、当該破断部に隣接する前記破断部の前記切り込みに接続されている請求項１１に記載のドレープ。
【発明の詳細な説明】
【技術分野】
【０００１】
本発明は、ドレープに関する。
【背景技術】
【０００２】
患者に外科手術（例えば、カテーテルによる手術）を施すとき、通常、その患者の身体をドレープで覆う。患者の身体をドレープで覆う（以下、この状態を「使用状態」という）ことにより、例えば、手術により体外に流出した体液（血液）や生理食塩水等の液体の飛散を防止したり、患者の体温低下を防止したり、患者の身体の消毒を施していない部位の露出を防止して術野の清潔域を確保することができる。
【０００３】
このドレープは、シート状のドレープ本体と、ドレープ本体に設けられた複数の開口部とで構成されている。使用状態では、各開口部から患者の術野が露出され、その術野に対し手術（例えば、カテーテルの導入）を行うことができる。
【０００４】
しかしながら、このようなドレープでは、患者の体格差や手術を行う目的部位の違いによっては、各開口部の大きさが適当ではない、すなわち、大き過ぎたり小さ過ぎたりする場合（問題）があった。
【０００５】
また、手術後に、術部（術野）周辺で内出血等が起きていないかの確認や、術部の止血等の作業を行う場合に、開口部が小さく、作業が困難な場合があった。
【０００６】
前者の問題に鑑みて、特許文献１に記載されたドレープが知られている。このドレープは、シート状のドレープ本体（基布）と、ドレープ本体に設けられた開口部（開窓部（孔））と、開口部に着脱自在に装着される蓋体（開窓蓋）とで構成されている。特許文献１のドレープでは、開口部に対する蓋体の装着位置を変更するとにより、当該開口部の大きさを変更することができる。
【０００７】
しかしながら、このような構成のドレープでは、前述したように、蓋体を剥がして、異なる位置に貼り付ける（装着する）ことにより、開口部の大きさを変更するため、蓋体を操作する作業、すなわち、蓋体の剥離・装着作業が煩わしいという問題があった。
【０００８】
また、このような構成のドレープでは、開口部自体の大きさを広げることができないため、手術後の確認作業や止血作業等には、十分対応することができない。
【０００９】
また、蓋体を装着した部分では、その厚さが厚くなる。このため、ドレープが扱い難くなるという問題もあった。
【００１０】
また、手術中に、蓋体を紛失したり、蓋体が剥がれて手術室の床に落ちたりするという問題もあった。
【００１１】
また、蓋体は、ドレープ本体とは、別体で構成されているので、ドレープを構成する部品点数が多くなる。このため、ドレープがコスト的に高くなるという問題もあった。
【００１２】
【特許文献１】特開２００４−８１５６６号公報
【発明の開示】
【発明が解決しようとする課題】
【００１３】
本発明の目的は、開口部を容易に広げることができるドレープを提供することにある。
【課題を解決するための手段】
【００１４】
このような目的は、下記（１）〜（１２）の本発明により達成される。
（１）  患者の身体を覆った使用状態で、前記患者の体表の一部を露出する少なくとも１つの開口部が形成され、
前記開口部の縁部に、該縁部を破断して形成された、および／または破断可能な破断部が放射状に複数設けられていることを特徴とするドレープ。
【００１５】
（２）  前記開口部は、ほぼ楕円形または長円形をなしており、その長径方向に沿って少なくとも１つの前記破断部が設けられている上記（１）に記載のドレープ。
【００１６】
（３）  前記開口部は、ほぼ多角形をなしており、その各角部に対応する位置に少なくとも１つの前記破断部が設けられている上記（１）に記載のドレープ。
【００１７】
（４）  前記開口部を２つ有し、これら両開口部が、少なくとも１つの前記破断部を共有している上記（１）ないし（３）のいずれかに記載のドレープ。
【００１８】
（５）  前記使用状態で患者の左鼠径部、右鼠径部、左肘、右肘、左手首および右手首付近に対応する位置にそれぞれ、前記開口部が設けられている上記（１）ないし（４）のいずれかに記載のドレープ。
【００１９】
（６）  前記各破断部は、切り込みで構成されている上記（１）ないし（５）のいずれかに記載のドレープ。
【００２０】
（７）  前記各破断部は、ミシン目で構成されている上記（１）ないし（５）のいずれかに記載のドレープ。
【００２１】
（８）  前記各破断部は、前記ドレープの縁部まで到達していない上記（７）に記載のドレープ。
【００２２】
（９）  隣接する前記破断部同士間には、当該破断部同士をつなぐミシン目が設けられている上記（１）ないし（８）のいずれかに記載のドレープ。
【００２３】
（１０）  隣接する前記破断部同士間には、前記各破断部の前記開口部と反対側の端部同士をつなぐミシン目が設けられている上記（９）に記載のドレープ。
【００２４】
（１１）  前記各破断部は、前記開口部の縁部から延出する切り込みと、該切り込みに連結されたミシン目とを有する上記（１）ないし（１０）のいずれかに記載のドレープ。
【００２５】
（１２）  前記各破断部の前記ミシン目は、当該破断部に隣接する前記破断部の前記切り込みに接続されている上記（１１）に記載のドレープ。
【発明の効果】
【００２６】
本発明によれば、開口部の縁部に、放射状に配置された複数の破断部を設けたことにより、開口部を容易に広げることができる。
【００２７】
また、各破断部をミシン目で構成した場合には、各破断部の破断の程度を任意に設定することができ、よって、開口部を任意の大きさに広げることができる。
【００２８】
そのため、本発明によれば、術後の術部周辺の観察も容易に行うことができるので、患者の内出血の有無等を確認することができる。
【発明を実施するための最良の形態】
【００２９】
以下、本発明のドレープを添付図面に示す好適な実施形態に基づいて詳細に説明する。
＜第１実施形態＞
図１は、本発明のドレープの第１実施形態を示す平面図、図２は、図１中のＡ−Ａ線断面図、図３は、図１中の領域［Ｂ］の拡大図、図４は、図１中の領域［Ｃ］の拡大図である。
【００３０】
図１に示すように、ドレープ１は、例えばＰＴＣＡによる治療を行う等のカテーテル手術を行う際に用いられるものである。このドレープ１は、シート状をなすドレープ本体２と、ドレープ本体２に設けられた６つの開口部３ａ、３ｂ、３ｃ、３ｄ、３ｅ、３ｆと、視認部４とを備えている（図１および図２参照）。以下、各部の構成について説明する。
【００３１】
ドレープ本体２は、患者Ｐの身体の一部を覆うことができる程度の大きさを有し、すなわち、患者Ｐの身体の一部を覆う領域２２を有している。
【００３２】
ドレープ本体２としては、特に限定されないが、可撓性を有するもの、例えば、不織布を用いるのが好ましい。この不織布は、その構成材料として、例えば、ポリウレタン、ポリビニルアルコール、ポリプロピレン、ポリエーテルポリアミド、ポリエチレンテレフタレート、ポリブチレンテレフタレート等の合成樹脂、ウッドパルプ等の天然繊維が挙げられ、これらのうちの１種または２種以上を混合したものを用いることができる。
【００３３】
また、ドレープ本体２の表面には、親水処理が施されているのが好ましい。これにより、患者Ｐから流出した体液（例えば、血液）や生理食塩水等の液体を吸収することができ、よって、例えば、この液体により手元が滑りやすくなり手術が行われ難くなるのを防止したり、液体が手術室の床面に飛散して床面を汚染するのを防止することができる。
【００３４】
また、ドレープ本体２の大きさは、患者の体格や手術室の大きさもよるが、例えば、長さが２５００〜３５００ｍｍであるのが好ましく、２８００〜３２００ｍｍであるのがより好ましい。また、幅は、１５００〜２５００ｍｍであるのが好ましく、１８００〜２２００ｍｍであるのがより好ましい。
【００３５】
図１に示すように、ドレープ本体２の領域２２には、開口部３ａ、３ｂ、３ｃ、３ｄ、３ｅおよび３ｆがそれぞれ設けられている。
【００３６】
開口部３ａは、ドレープ本体２のほぼ中央部に設けられている。
開口部３ｃは、図１中、開口部３ａの右斜め上方に設けられている。
開口部３ｅは、図１中、開口部３ｃの右斜め下方に設けられている。
【００３７】
また、開口部３ｂ、３ｄおよび３ｆは、それぞれ、開口部３ａ、３ｃおよび３ｅに対して、ドレープ本体２の幅中心軸に対しほぼ線対称に設けられている。
【００３８】
ドレープ１が患者Ｐの身体を覆った使用状態（図１に示す状態）では、開口部３ａ、３ｂ、３ｃ、３ｄ、３ｅ、３ｆからは、患者Ｐの体表の一部、すなわち、術野が露出され得る。換言すれば、使用状態（被覆状態）で、開口部３ａ、３ｂ、３ｃ、３ｄ、３ｅ、３ｆからは、それぞれ、患者Ｐの左鼠径部Ｐ１、右鼠径部Ｐ２、左肘Ｐ３、右肘Ｐ４、左手首Ｐ５、右手首Ｐ６付近が露出し得る。
【００３９】
開口部３ｃ、３ｄ、３ｅ、３ｆの構成（形状）は、ほぼ同一であるため、以下、開口部３ｃを代表的に説明する。また、開口部３ａ、３ｂ（形状）は、ほぼ同一であるため、以下、開口部３ａを代表的に説明する。
【００４０】
図１および図３に示すように、開口部３ｃは、円形をなすものである。この開口部３ｃは、縁部３１に沿って放射状に配置された（設けられた）破断部としての８つ（８本）のスリット（切り込み）３２ａ、３２ｂ、３２ｃ、３２ｄ、３２ｅ、３２ｆ、３２ｇ、３２ｈを有している。
【００４１】
スリット３２ａ〜３２ｈは、それぞれ、縁部３１を破断する、すなわち、縁部３１に直線状の切り込みを入れることにより形成されている。
【００４２】
このようなスリット３２ａ〜３２ｈが設けられていることにより、例えば患者Ｐの左肘Ｐ３の周辺部（例えば、図３中の上方）にまで術野を広く確保したい場合は、スリット３２ａとスリット３２ｂとの間のタブ３１１（縁部３１）と、スリット３２ａとスリット３２ｈとの間のタブ３１２（縁部３１）とを、それぞれ、図３中の矢印方向にめくる。これにより、開口部３ｃの大きさを容易に広げることができる、すなわち、術野を広く確保することができる（左肘Ｐ３の周辺部を視認し易くなる）。
【００４３】
なお、タブ３１１および３１２をめくった後、当該タブ３１１および３１２をそれぞれ、ドレープ本体２（ドレープ１）から取り除いて（破断して）もよい。
また、図３に示すように、スリット３２ａ〜３２ｈは、それぞれの長さがほぼ等しい。
【００４４】
図１および図４に示すように、開口部３ａは、ほぼ楕円形または長円形（小判型）をなすものである。この開口部３ａは、開口部３ｃとほぼ同様に、縁部３３に沿って放射状に配置された８つ（８本）のスリット（破断部）３４ａ、３４ｂ、３４ｃ、３４ｄ、３４ｅ、３４ｆ、３４ｇ、３４ｈを有している。
【００４５】
スリット３４ａおよび３４ｅは、それぞれ、開口部３ａ（縁部３３）の長径方向（長手方向）に沿って設けられている。
【００４６】
スリット３４ｃおよび３４ｇは、それぞれ、スリット３４ａ（スリット３４ｅ）の形成方向（開口部３ａの長手方向）に対してほぼ直角に設けられている。
【００４７】
スリット３４ｂ、３４ｄ、３４ｆおよび３４ｈは、それぞれ、スリット３４ａ（スリット３４ｅ）の形成方向に対して、４５°傾斜した方向に設けられている。
【００４８】
このようなスリット３４ａ〜３４ｈが設けられていることにより、医師等の術者は、必要に応じて、例えばスリット３４ｅとスリット３４ｆとの間のタブ３３１（縁部３３）と、スリット３４ｆとスリット３４ｇとの間のタブ３３２（縁部３３）と、スリット３４ｇとスリット３４ｈとの間のタブ３３３（縁部３３）と、スリット３４ｈとスリット３４ａとの間のタブ３３４（縁部３３）とを、それぞれ、図４中の矢印方向にめくることができる。これにより、開口部３ａの大きさを容易に広げることができ、よって、例えば、手術後の内出血の有無の確認作業や止血作業を容易に行うことができる。また、スリット３４ａおよび３４ｅがそれぞれ開口部３ａの長径方向に沿って設けられているため、開口部３ａをより容易に広げることができる。
【００４９】
なお、スリット３２ａ〜３２ｈおよび３４ａ〜３４ｈのそれぞれの長さは、特に限定されないが、例えば、５〜３０ｃｍであるのが好ましく、１０〜２０ｃｍであるのがより好ましい。
【００５０】
図１に示すように、ドレープ本体２の端部（縁部２１）には、シート状（フィルム状の）の視認部４が設けられている。この視認部４は、使用状態で、患者Ｐが横たわるベッドに設けられた、例えばＸ線受像装置の操作盤（図示せず）を視認可能とする部位である。
【００５１】
視認部４の構成材料としては、透明（無色透明）、着色透明または半透明の樹脂材料で構成され、この樹脂材料としては、特に限定されないが、例えば、ポリエチレン、ポリプロピレン、エチレン−酢酸ビニル共重合体等のポリオレフィン、ポリウレタン、ポリアミド、ポリエステル、ポリカーボネート、ポリ塩化ビニル等の各種樹脂材料が挙げられる。
【００５２】
また、図２に示すように、開口部３ａおよび３ｂの縁部３３や開口部３ｃ〜３ｆの縁部３１の裏面（使用状態で患者側に位置する面）側には、両面粘着テープ６が貼付されている。これにより、使用状態で、ドレープ１を患者Ｐに固定することができ、よって、例えば、左肘Ｐ３に対する開口部３ｃの位置決めを確実に行うことができる、すなわち、手術中において、左肘Ｐ３に対する開口部３ｃの位置ズレが生じるのを確実に防止することができる。
【００５３】
両面粘着テープ６は、全ての開口部周辺（縁部３１）に設けられ、使用前には、図示しない剥離紙が貼り付けられている。また、両面粘着テープ６は、各破断部（スリット）と干渉しないように分割して設けられているのが好ましいが、剥離紙は、分割されておらず、１回の剥離操作で１つの開口部の縁部の剥離紙を全て剥がすことができるよう構成されているのが好ましい。
【００５４】
また、開口部３ａ〜３ｆは、全て手術に用いられるとは限らず、それらのうちの一部は、用いられない場合がある。
【００５５】
例えば、開口部３ｃが用いられない場合、開口部３ｃに、当該開口部３ｃを覆う（塞ぐ）蓋体７を設けてもよい。この蓋体７は、シート状の蓋体本体７１と、蓋体本体７１の一方の面に設けられた両面粘着テープ７２とで構成されている。
【００５６】
両面粘着テープ７２を介して蓋体本体７１を開口部３ｃに装着する（貼付する）ことにより、開口部３ｃが不本意に露出するのを防止することができる。
【００５７】
なお、蓋体７で覆われた開口部３ｃを用いる場合には、蓋体７を離脱させ、開口部３ｃの縁部３１の両面粘着テープ６の剥離紙を剥がすことにより使用が可能となる。これにより、開口部３ｃの縁部３１を左肘Ｐ３に固定し、左肘Ｐ３を露出させることができる。
【００５８】
また、蓋体本体７１は、ドレープ本体２の説明で挙げたような不織布を用いることができる。
【００５９】
＜第２実施形態＞
図５は、本発明のドレープ（第２実施形態）の開口部の平面図である。
【００６０】
以下、この図を参照して本発明のドレープの第２実施形態について説明するが、前述した第１実施形態との相違点を中心に説明し、同様の事項はその説明を省略する。
【００６１】
本実施形態は、各破断部の構成が異なること以外は前記第１実施形態と同様である。また、本実施形態では、開口部３ｃを代表的に説明する。
【００６２】
図５に示すように、開口部３ｃの各破断部（第１実施形態のスリット３２ａ〜３２ｈに相当する部分）は、ミシン目３５ａ、３５ｂ、３５ｃ、３５ｄ、３５ｅ、３５ｆ、３５ｇ、３５ｈで構成されている。これらのミシン目３５ａ〜３５ｈは、それぞれ、当該ミシン目を裂くことにより開口部３ｃの縁部３１を破断可能な部位である。
【００６３】
このようなミシン目３５ａ〜３５ｈにより、各ミシン目３５ａ〜３５ｈの破断の程度を任意に設定することができ、よって、開口部３ｃを任意の大きさに広げることができる。また、各ミシン目３５ａ〜３５ｈを破断しなければ、それらが破断されていない状態の開口部３ｃの大きさを確実に維持することができる。また、開口部３ｃを広げる必要がある部分のミシン目を裂けばよいので、術野の露出させる部分を確実に制限（規制）することができる。
【００６４】
また、各ミシン目３５ａ〜３５ｈは、ドレープ本体２（ドレープ１）の縁部２１まで到達していない。これにより、例えば、ミシン目３５ａを裂くとき、当該ミシン目３５ａを勢い余って裂いたとしても、開口部３ｃから術野が過剰に露出するのを防止することができたり、患者Ｐの術野以外の部位（不本意な部位）が露出するのを確実に防止することができる。
【００６５】
＜第３実施形態＞
図６は、本発明のドレープ（第３実施形態）の開口部の平面図である。
【００６６】
以下、この図を参照して本発明のドレープの第３実施形態について説明するが、前述した第１実施形態との相違点を中心に説明し、同様の事項はその説明を省略する。
【００６７】
本実施形態は、各開口部の縁部の形状が異なること以外は前記第１実施形態と同様である。また、本実施形態では、開口部３ａを代表的に説明する。
【００６８】
図６に示すように、開口部３ａは、ほぼ四角形をなしている。
このような開口部３ａでは、スリット３４ａ、３４ｃ、３４ｅおよび３４ｇは、それぞれ、各辺の中心部から当該辺に対して直角な方向に延在している。
【００６９】
また、スリット３４ｂ、３４ｄ、３４ｆおよび３４ｈは、それぞれ、角部３３５、３３６、３３７および３３８に対応する位置に設けられている。これにより、開口部３ａをより容易かつ大きく広げることができる。
【００７０】
また、スリット３４ａ〜３４ｈを前記第２実施形態のようなミシン目に置き換えてもよい。この場合、４つのミシン目が角部３３５、３３６、３３７および３３８から延在することとなり、各ミシン目を容易に裂くことができ、よって、開口部３ａをより容易に広げることができる。
【００７１】
また、開口部３ａの形状は、四角形であるのに限定されず、例えば、三角形、五角形、六角形等の多角形であればよい。
【００７２】
＜第４実施形態＞
図７は、本発明のドレープ（第４実施形態）の開口部の平面図である。
【００７３】
以下、この図を参照して本発明のドレープの第４実施形態について説明するが、前述した第２実施形態との相違点を中心に説明し、同様の事項はその説明を省略する。
【００７４】
本実施形態は、ミシン目の構成が異なること以外は前記第２実施形態と同様である。また、本実施形態では、開口部３ｃおよび３ｅを代表的に説明する。
【００７５】
図７に示すように、開口部３ｃの縁部３１には、ミシン目３５ａ〜３５ｃおよび３５ｅから３５ｈがそれぞれ設けられている。また、開口部３ｅの縁部３１には、ミシン目３５ａ〜３５ｇがそれぞれ設けられている。
【００７６】
開口部３ｃのミシン目３５ｃとミシン目３５ｅとの間には、ミシン目３５ｉが設けられている。
【００７７】
このミシン目３５ｉは、開口部３ｅのミシン目３５ｇとミシン目３５ａとの間を介して開口部３ｅの縁部３１に到達している。換言すれば、開口部３ｃと開口部３ｅとは、ミシン目３５ｉを共有している、すなわち、ミシン目３５ｉを介して連結されている。
【００７８】
これにより、ミシン目３５ｉを裂けば、この裂かれたミシン目３５ｉを介して開口部３ｃと開口部３ｅとが連通する（つながる）こととなり、よって、開口部３ｃおよび開口部３ｅを大きく広げることができる。
【００７９】
＜第５実施形態＞
図８は、本発明のドレープ（第５実施形態）の開口部の平面図である。
【００８０】
以下、この図を参照して本発明のドレープの第５実施形態について説明するが、前述した第４実施形態との相違点を中心に説明し、同様の事項はその説明を省略する。
【００８１】
本実施形態は、各破断部の構成が異なること以外は前記第４実施形態と同様である。また、本実施形態では、ミシン目３５ａおよびミシン目３５ａに連結されたスリット３７ａを代表的に説明する。
【００８２】
図８に示すように、ミシン目３５ａと開口部３ｃの縁部３１との間には、これらをつなぐ（接続する）スリット３７ａが設けられている。すなわち、開口部３ｃには、その縁部３１から延出するスリット３７ａと、スリット３７ａの開口部３ｃと反対側の端部３７１から延出するミシン目３５ａとが設けられ、これらが破断部を構成している。
【００８３】
このような構成の破断部が設けられていることにより、スリット３７ａの端部３７１において、ミシン目３５ａを容易に破断することができ、よって、開口部３ｃをより容易に広げることができる。
【００８４】
＜第６実施形態＞
図９は、本発明のドレープ（第６実施形態）の開口部の平面図である。
【００８５】
以下、この図を参照して本発明のドレープの第６実施形態について説明するが、前述した第１実施形態との相違点を中心に説明し、同様の事項はその説明を省略する。
【００８６】
本実施形態は、各開口部の構成が異なること以外は前記第１実施形態と同様である。また、本実施形態では、開口部３ｃを代表的に説明する。
【００８７】
図９に示すように、開口部３ｃの外周には、開口部３ｃと同心的にミシン目８が設けられた。このミシン目８は、隣接するスリットの（例えばスリット３２ａとスリット３２ｂ）の開口部３ｃと反対側の端部３２１同士をつなぐように、すなわち、スリット３２ａ〜３２ｈのそれぞれの端部３２１と交差するように設けられている。
【００８８】
例えば、ミシン目８のスリット３２ａとスリット３２ｂとの間の部分、すなわち、スリット３２ａの端部３２１からスリット３２ｂの端部３２１まで延出する小ミシン目８１を裂くことにより、タブ３１１をドレープ１から離脱させることができる。これにより、開口部３ｃが広がった状態を確実に維持することができる。
【００８９】
なお、ミシン目８は、スリット３２ａ〜３２ｈのそれぞれの端部３２１と交差するのに限定されず、スリット３２ａ〜３２ｈの途中と交差してもよい。
【００９０】
また、観点を変えれば、ドレープ１では、１つのスリットと、該スリットと隣接するスリットと、両スリットの端部同士を連結するミシン目とを１つの単位として、破断部と捉えることができる。
【００９１】
以上、本発明のドレープを図示の実施形態について説明したが、本発明は、これに限定されるものではなく、ドレープを構成する各部は、同様の機能を発揮し得る任意の構成のものと置換することができる。また、任意の構成物が付加されていてもよい。
【００９２】
また、本発明のドレープは、前記各実施形態のうちの、任意の２以上の構成（特徴）を組み合わせたものであってもよい。
【００９３】
例えば、前記第４実施形態の破断部は、ミシン目で構成されていたが、前記第１実施形態の破断部のようなスリットで構成されていてもよい。
【００９４】
また、ドレープ本体２は、単層のものであってもよいし、積層されたものであってもよい。
【００９５】
また、開口部の設置数は、６つであるのに限定されず、例えば、１つ、２つ、３つ、４つ、５つ、７つ以上であってもよい。
【００９６】
また、各開口部におけるスリットまたはミシン目の形成数は、８本であるのに限定されず、例えば、３〜１０本であるのが好ましく、４〜８本であるのがより好ましい。
【００９７】
また、各開口部には、術野を清潔に保つためのドレッシングテープが設けられていてもよい。
【図面の簡単な説明】
【００９８】
【図１】本発明のドレープの第１実施形態を示す平面図である。
【図２】図１中のＡ−Ａ線断面図である。
【図３】図３は、図１中の領域［Ｂ］の拡大図である。
【図４】図１中の領域［Ｃ］の拡大図である。
【図５】本発明のドレープ（第２実施形態）の開口部の平面図である。
【図６】本発明のドレープ（第３実施形態）の開口部の平面図ある。
【図７】本発明のドレープ（第４実施形態）の開口部の平面図である。
【図８】本発明のドレープ（第５実施形態）の開口部の平面図である。
【図９】本発明のドレープ（第６実施形態）の開口部の平面図である。
【符号の説明】
【００９９】
１            ドレープ
２            ドレープ本体
２１          縁部
２２          領域
３ａ、３ｂ、３ｃ、３ｄ、３ｅ、３ｆ  開口部
３１          縁部
３１１、３１２  タブ
３２ａ、３２ｂ、３２ｃ、３２ｄ、３２ｅ、３２ｆ、３２ｇ、３２ｈ  スリット
３２１        端部
３３          縁部
３３１、３３２、３３３、３３４  タブ
３３５、３３６、３３７、３３８  角部
３４ａ、３４ｂ、３４ｃ、３４ｄ、３４ｅ、３４ｆ、３４ｇ、３４ｈ  スリット
３５ａ、３５ｂ、３５ｃ、３５ｄ、３５ｅ、３５ｆ、３５ｇ、３５ｈ、３５ｉ  ミシン目
３７ａ        スリット
３７１        端部
４            視認部
６            両面粘着テープ
７            蓋体
７１          蓋体本体
７２          両面粘着テープ
８            ミシン目
８１          小ミシン目
Ｐ            患者
Ｐ１          左鼠径部
Ｐ２          右鼠径部
Ｐ３          左肘
Ｐ４          右肘
Ｐ５          左手首
Ｐ６          右手首
【図１】
2007068573.tif 000003
【図２】
2007068573.tif 000004
【図３】
2007068573.tif 000005
【図４】
2007068573.tif 000006
【図５】
2007068573.tif 000007
【図６】
2007068573.tif 000008
【図７】
2007068573.tif 000009
【図８】
2007068573.tif 000010
【図９】
2007068573.tif 000011